(57)【特許請求の範囲】
【請求項１】
整髪装置の付属品であって、
整髪装置からの空気流を受け取る空気入口を有するケーシングと、
前記ケーシングによって支持された毛髪係合部材と、
前記毛髪係合部材の外面上に空気を向けるように成形された、前記ケーシングと前記毛髪係合部材との間の空気流出口と、
前記毛髪係合部材の前記外面上に延びる空気流誘導手段と、
を備え、
前記毛髪係合部材が該毛髪係合部材の長手方向軸線に対して右に向かって動いたとき、前記毛髪係合部材の右側に前記空気流出口が形成され、前記毛髪係合部材が前記長手方向軸線に対して左に向かって動いたとき、前記毛髪係合部材の左側に前記空気流出口が形成されるように構成される、ことを特徴とする付属品。
【請求項２】
前記空気流出口は、前記毛髪係合部材の側面と前記ケーシングの側壁とによって定められる、
請求項１に記載の付属品。
【請求項３】
前記毛髪係合部材は、細長い形状であり、前記空気流出口は、実質的に前記毛髪係合部材の長さにわたって延びる、
請求項１又は２に記載の付属品。
【請求項４】
前記空気流誘導手段は、一連のリブを含む、
請求項１から３のいずれかに記載の付属品。
【請求項５】
前記一連のリブ内の各リブは、隣接するリブと平行に位置付けられて、これらの間にチャネルが定められる、
請求項４に記載の付属品。
【請求項６】
前記一連のリブ内の各リブは、前記毛髪係合部材の前記長さの方向に対して実質的に垂直に延びる、
請求項４又は５に記載の付属品。
【請求項７】
前記一連のリブ内のリブは、均一なリブ幅を有する、
請求項４から６のいずれかに記載の付属品。
【請求項８】
前記一連のリブ内の各チャネルは、均一なチャネル幅を有し、該チャネル幅は、リブの幅よりも大きい、
請求項５から７のいずれかに記載の付属品。
【請求項９】
各チャネルの幅は、２ｍｍ〜４ｍｍである、
請求項８に記載の付属品。
【請求項１０】
前記毛髪係合部材の前記外面は、前記毛髪係合部材の前記長さの方向に対して垂直な概ね円弧形状を有する、
請求項１から９のいずれかに記載の付属品。
【請求項１１】
前記毛髪係合部材を２つ備える、
請求項１から１０のいずれかに記載の付属品。
【請求項１２】
前記毛髪係合部材は、前記長手方向軸線に対して横方向に並んで配置される、
請求項１１に記載の付属品。
【請求項１３】
前記ケーシングは、外側ケーシング区分及び内側ケーシング区分を含み、前記毛髪係合部材間に前記内側ケーシング区分の棚部が配置される、
請求項１２に記載の付属品。
【請求項１４】
前記ケーシングと前記毛髪係合部材の一方との間にさらなる空気流出口を備え、該さらなる空気流出口は、空気を前記毛髪係合部材の一方の外面上に向けるように成形される、
請求項１１から１３のいずれかに記載の付属品。
【発明の詳細な説明】
【技術分野】
【０００１】
本発明は、手持型機器の、特に温風整髪装置などのヘアケア機器の付属品に関する。
【背景技術】
【０００２】
従来の温風整髪装置では、ファンユニットによって空気が入口に吸い込まれ、付属品によって毛髪にまたは頭部に向けられる。所望の髪形に応じて、空気は加熱することも、又はしないこともできる。多くの場合、付属品は、整髪のために髪を巻き付けて保持する毛状突起（剛毛突起、直立突起）を含む。空気は、一般に付属品の長手方向表面から垂直に吹き出す。
【発明の概要】
【課題を解決するための手段】
【０００３】
第１の態様では、本発明は、整髪装置の付属品であって、整髪装置からの空気流を受け取る空気入口を有するケーシングと、ケーシングによって支持され、ケーシングに対して第１の位置と第２の位置との間で動くように適合された毛髪係合部材とを含み、毛髪係合部材が第１の位置にある時に、ケーシングと毛髪係合部材との間に第１の空気流出口が形成され、毛髪係合部材が第２の位置にある時に、ケーシングと毛髪係合部材との間に第１の空気流出口から離間した第２の空気流出口が形成され、毛髪係合部材が第１の位置にある時に、第１の空気流出口が開いて第２の空気流出口が閉じ、毛髪係合部材が第２の位置にある時に、第１の空気流出口が閉じて第２の空気流出口が開く、付属品を提供する。
【０００４】
毛髪係合部材は、ケーシングに対して揺動運動で動くように適合されることが好ましい。毛髪係合部材は、ケーシング内に毛髪係合部材の中心軸を通じて枢動自在に支持されることが好ましい。毛髪係合部材は、ケーシング内に毛髪係合部材を取り付ける枢動ピンによって枢動自在に支持されることが好ましい。毛髪係合部材は、５°〜３０°の移動角を有することが好ましい。
【０００５】
毛髪係合部材は、付属品がユーザの毛髪内を通って第１の方向に引かれた時に第１の位置に動き、付属品がユーザの毛髪内を通って第１の方向とは逆の第２の方向に引かれた時に第２の位置に動くことが好ましい。
【０００６】
第１の空気流出口及び第２の空気流出口の各々は、複数の出口開口部を含むことが好ましい。さらに、複数の出口開口部は、１列に配置されることが好ましい。
【０００７】
第１の空気流出口及び第２の空気流出口の各々は、毛髪係合部材のそれぞれの側面とケーシングのそれぞれの部分とによって定められることが好ましい。第１の空気流出口及び第２の空気流出口の各々は、スロット形状であることが好ましい。毛髪係合部材は、細長い形状を有し、第１の空気流出口及び第２の空気流出口の各々は、実質的に毛髪係合部材の長さにわたって延びることが好ましい。
【０００８】
好ましい実施形態では、付属品が、２つの毛髪係合部材を含む。ケーシングは、外側ケーシング区分及び内側ケーシング区分を含み、毛髪係合部材間に内側ケーシング区分の棚部が位置することが好ましい。付属品の第１の構成では、第１の毛髪係合部材が、第１の位置にあって棚部と共に第１の空気流出口を定めることが好ましく、第２の毛髪係合部材が、第２の位置にあって外側ケーシング区分と共に第２の空気流出口を定めることが好ましい。付属品の第２の構成では、第１の毛髪係合部材が、第２の位置にあって外側ケーシング区分と共に第３の空気流出口を定めることが好ましく、第２の毛髪係合部材が、第２の位置にあって棚部と共に第４の空気流出口を定めることが好ましい。第１の毛髪係合部材及び第２の毛髪係合部材は、同期して動くことが好ましい。
【０００９】
さらに、付属品は、オーバセンタ機構の作用によって第１の構成と第２の構成との間で動くことが好ましい。好ましい実施形態では、オーバセンタ機構が、第１の毛髪係合部材と第２の毛髪係合部材との間に接続されたねじりばねである。ねじりばねの付勢機能は、複数の別の方法で実現することもできる。例えば、磁気ラッチ、又は重り付き可動部材、或いは戻り止め機構に統合した玉軸受を使用することができる。
【００１０】
可動部材を動かすオーバセンタ機構には、各可動部材の動きを現在の可動部材の配向とは逆方向に付勢して、可動部材がスムーズに逆方向に傾転できることを確実にする利点がある。
【００１１】
第２の態様では、本発明は、整髪装置の付属品であって、整髪装置からの空気流を受け取る空気入口を有するケーシングと、ケーシングによって支持された毛髪係合部材と、ケーシングと毛髪係合部材との間の第１の空気流出口と、ケーシングと毛髪係合部材との間の、第１の空気流出口から離間した第２の空気流出口と、ケーシング内に位置して第１の空気流出口及び第２の空気流出口の方に空気を向ける内部空気流誘導手段とを含む付属品を提供する。第１の空気流出口及び第２の空気流出口の各々は、ケーシングのそれぞれの側壁によって少なくとも部分的に定められることが好ましい。
【００１２】
「空気流誘導手段」という用語は、空気流を空気流経路に沿って誘導するベーン、バッフル、リブ又は他の任意の構成を意味する。
【００１３】
好ましい実施形態では、内部空気流誘導手段が複数のベーンを含む。内部空気流誘導手段は、ケーシングに接続された複数のケーシングベーンを含むことが好ましい。さらに、複数のケーシングベーンは、ケーシングの第１の側壁に位置して第１の空気流出口に隣接する第１の一連のケーシングベーンと、ケーシングの第２の側壁に位置して第２の空気流出口に隣接する第２の一連のケーシングベーンとを含む。第１の一連のケーシングベーン内の各ベーンは、第１の空気流出口を定めるケーシングの第１の側壁の縁部に対して概ね垂直に配向されることが好ましく、第２の一連のケーシングベーン内の各ベーンは、第２の空気流出口を定めるケーシングの第２の側壁の縁部に対して概ね垂直に配向されることが好ましい。第１の一連のケーシングベーン及び第２の一連のケーシングベーン内のベーンは、概ね均等に離間することが好ましい。
【００１４】
別の好ましい実施形態では、内部空気流誘導手段が、毛髪係合部材に接続された複数のエッジベーンを含む。複数のエッジベーンは、毛髪係合部材の第１の側面に位置して第１の空気流出口に隣接する第１の一連のエッジベーンと、毛髪係合部材の第２の側面に位置して第２の空気流出口に隣接する第２の一連のエッジベーンとを含むことが好ましい。
【００１５】
第１の一連のエッジベーン内の各ベーンは、第１の空気流出口に隣接する毛髪係合部材の縁部に対して概ね垂直に配向されることが好ましく、第２の一連のエッジベーン内の各ベーンは、第２の空気流出口に隣接する毛髪係合部材の縁部に対して概ね垂直に配向されることが好ましい。
【００１６】
第１の一連のエッジベーン及び第２の一連のエッジベーン内のベーンは、概ね均等に離間することが好ましい。エッジベーン及びケーシングベーンは、エッジベーンとケーシングベーンとが互いに連続して整列するように同様の配置パターンを有することが好ましい。
【００１７】
毛髪係合部材は、細長い外形を有することが好ましく、第１の空気流出口及び第２の空気流出口の各々は、実質的に毛髪係合部材の長さにわたって延びることが好ましい。
【００１８】
好ましい実施形態では、付属品が２つの毛髪係合部材を含む。各毛髪係合部材は、ケーシングと共に、それぞれの第１の空気出口及びそれぞれの第２の空気出口を形成することが好ましい。これらの毛髪係合部材は、横並びで配置されることが好ましい。ケーシングは、外側ケーシング区分及び内側ケーシング区分を含み、毛髪係合部材間に内側ケーシング区分の棚部が配置されることが好ましい。
【００１９】
好ましい実施形態では、内部空気流誘導手段が、毛髪係合部材間に配置されて棚部の内面に接する一連の中央バッフルをさらに含む。一連の中央バッフルは、第１の毛髪係合部材の内側面及び第２の毛髪係合部材の内側面と平行に延びることが好ましい。一連の中央バッフル内の各バッフルは、受け取った空気流の方向を棚部に向けて約９０度変化させるように適合された、開いたスコップ形（さじ形）を有することが好ましい。
【００２０】
付属品内では乱気流が最小化され、従って使用時に、付属品を含む温風整髪装置の可聴音量が低下することが有利である。
【００２１】
第１の毛髪係合部材の棚部に近い側面には、第１の一連の内側エッジベーンが位置することが好ましい。第２の毛髪係合部材の棚部に近い側面には、第２の一連の内側エッジベーンが位置することが好ましい。一連の中央バッフル内のバッフル、並びに第１の一連の内側エッジベーン及び第２の一連の内側エッジベーン内のベーンは、バッフルとベーンとが互いに連続して整列するように同様の配置パターンを有することが好ましい。
【００２２】
可動部材の側面に沿った一定間隔の窪みと、内部中央バッフル及び内部ケーシングベーンとの組み合わせが、付属品から排出される空気流からジェットを形成することが有利である。
【００２３】
第３の態様では、本発明は、整髪装置の付属品であって、整髪装置からの空気流を受け取る空気入口を有するケーシングと、ケーシングによって支持された毛髪係合部材と、毛髪係合部材の外面上に空気を向けるように成形された、ケーシングと毛髪係合部材との間の空気流出口と、毛髪係合部材の外面上に延びる空気流誘導手段とを含む付属品を提供する。空気流出口は、毛髪係合部材の側面とケーシングの側壁とによって定められることが好ましい。
【００２４】
毛髪係合部材は、細長い形状であり、空気流出口は、実質的に毛髪係合部材の長さにわたって延びることが好ましい。
【００２５】
空気流誘導手段は、一連のリブを含むことが好ましい。一連のリブ内の各リブは、隣接するリブと平行に位置付けられて、これらの間にチャネルが定められることが好ましい。一連のリブ内の各リブは、毛髪係合部材の長さ方向に対して実質的に垂直に延びることが好ましい。一連のリブ内のリブは、均一なリブ幅を有することが好ましい。一連のリブ内の各チャネルは、均一なチャネル幅を有することが好ましく、チャネル幅は、リブの幅よりも大きいことが好ましい。好ましい実施形態では、各チャネルの幅が２ｍｍ〜４ｍｍである。
【００２６】
隣接するリブ間のチャネルは、空気流を可動部材の表面上に誘導するように作用し、従ってユーザの毛幹を均一で平行な空気流が吹き下りることが有利である。
【００２７】
毛髪係合部材の外面は、毛髪係合部材の長さ方向に対して垂直な概ね円弧形状を有することが好ましい。さらなる好ましい実施形態では、付属品が、２つの毛髪係合部材を含む。これらの毛髪係合部材は、横並びに配置されることが好ましい。ケーシングは、外側ケーシング区分及び内側ケーシング区分を含み、毛髪係合部材間に内側ケーシング区分の棚部が配置されることが好ましい。付属品は、ケーシングと第２の毛髪係合部材との間にさらなる空気流出口を含み、さらなる空気流出口は、空気を第２の毛髪係合部材の外面上に向けるように成形されることが好ましい。
【００２８】
第４の態様では、本発明は、整髪装置の付属品であって、整髪装置からの空気流を受け取る空気入口と、少なくとも１つの空気出口と、空気入口から少なくとも１つの空気出口に空気を運ぶチャンバとを含み、空気入口がチャンバの一端に位置し、少なくとも１つの空気出口がチャンバの長さに沿って延び、チャンバの断面積のサイズが、空気入口から少なくとも１つの空気出口の長さに沿って減少する付属品を提供する。
【００２９】
付属品の内部断面積が付属品の下流端に向かって減少すると、付属品の内部容積全体を通じた圧力の一貫性が高まるので利点がある。さらに、内部断面積が段階的に減少する結果、内部中央バッフル及び内部側部ベーンに対する空気流の付着性が改善される。
【００３０】
ケーシングは、空気出口の反対側に位置する基部を含むことが好ましい。基部は概ね平坦であり、空気入口からの距離が増すとともに空気出口に向かって徐々に傾斜することが好ましい。基部は、断熱空洞によって分離された第１の層及び第２の層を含むことが好ましい。
【００３１】
好ましい実施形態では、付属品が、空気入口の反対側の遠位端と、遠位端に配置された断熱キャップとを含む。断熱キャップは、空気入口から離れて延びる耐熱性の突出部を有することが好ましい。
【００３２】
第５の態様では、本発明は、整髪装置の付属品であって、整髪装置からの空気流を受け取る空気入口を有するケーシングと、ケーシングによって支持された毛髪係合部材と、ケーシングと毛髪係合部材との間に形成された第１の空気流出口と、ケーシングと毛髪係合部材との間の、第１の空気流出口から離間した第２の空気流出口と、付属品の外面上の、第１の空気流出口と第２の空気流出口との間に延びる少なくとも１つの空気流障壁とを含む付属品を提供する。
【００３３】
第１の空気流出口又は第２の空気流出口を通じて放出される空気流は、少なくとも１つの空気流障壁によって毛髪係合部材の外面を横切って導かれることが好ましい。好ましい実施形態では、少なくとも１つの空気流障壁が、１ｍｍ〜４ｍｍの高さを有する。少なくとも１つの空気流障壁は、隆起部であることが好ましい。
【００３４】
第１の空気流障壁は、毛髪係合部材と空気入口との間に位置することが好ましく、第２の空気流障壁は、毛髪係合部材と、空気入口とは反対側の付属品の遠位端との間に位置することが好ましい。第１の空気流障壁及び第２の空気流障壁の少なくとも一方は、毛髪係合部材に接続されることが好ましい。さらに、第１の空気流障壁及び第２の空気流障壁の少なくとも一方は、ケーシングに接続されることが好ましい。毛髪係合部材は、細長い形状であることが好ましい。
【００３５】
可動部材の各端部に隣接する隆起部には、周囲空気の同伴を避けるように機能する利点がある。
【００３６】
第６の態様では、本発明は、整髪装置の付属品であって、整髪装置からの空気流を受け取る空気入口を有するケーシングと、ケーシングによって支持された毛髪係合部材とを含み、毛髪係合部材が、その外面から突出する毛状突起（剛毛、剛毛突起、直立突起）の配列を含み、配列内の各毛状突起が、細長い形状と楕円形の横断面とを有する付属品を提供する。
【００３７】
ケーシングは、その外面から突出する毛状突起（剛毛、剛毛突起、直立突起）の配列を含むことが好ましい。配列は、平行な列で配置された毛状突起を含むことが好ましい。各毛状突起は、遠位端に球状部分を有することが好ましい。好ましい実施形態では、付属品が、ケーシングによって支持された２つの毛髪係合部材を含み、これらの毛髪係合部材は横並びに配置することが好ましい。この好ましい実施形態では、各毛髪係合部材上の配列内の毛状突起の量が同じであることが好ましい。毛状突起の形状は、付属品が毛髪内を通って滑らかに移動して毛髪の絡みを最小化できるようにすることが有利である。
【００３８】
本発明の第１の態様に関して上述した特徴は、本発明の第２〜第６の態様の各々に等しく適用可能であり、逆もまた同様である。
【００３９】
以下、添付図面を参照しながら本発明の好ましい特徴をほんの一例として説明する。
【図面の簡単な説明】
【００４０】
【図１】付属品の斜視図である。
【図２】付属品の分解図である。
【図３】付属品の側面図である。
【図４】付属品の正面図である。
【図５ａ】図４の線Ｄ−Ｄに沿って切り取った断面図である。
【図５ｂ】付属品の内部容積の概略縦断面図である。
【図６】図６ａは、図３の線Ｂ−Ｂに沿って切り取った、第１の構成の可動部材を示す断面図であり、図６ｂは、図３の線Ｃ−Ｃに沿って切り取った、第１の構成の可動部材を示す断面図であり、図６ｃは、図３の線Ｂ−Ｂに沿って切り取った、第２の構成の可動部材を示す断面図であり、図６ｄは、図３の線Ｃ−Ｃに沿って切り取った、第２の構成の可動部材を示す断面図である。
【図７ａ】付属品の毛状突起の列の側面図である。
【図７ｂ】図７ａの線Ａ−Ａに沿って切り取った断面図である。
【図７ｃ】図７ａの線Ｃ−Ｃに沿って切り取った断面図である。
【図７ｄ】図７ａの線Ｄ−Ｄに沿って切り取った断面図である。
【図８】付属品を接続できる温風整髪装置の例の側面図である。
【発明を実施するための形態】
【００４１】
図１は、付属品１０の外観図である。付属品１０は、温風整髪装置又は同様の装置の空気出口端部からの空気流を受け取る空気入口１２を含む。図２、図３及び図４も参照すると、空気入口１２は、外側ケーシング区分４４と、内側ケーシング区分４５と、固定プレート６２とを含むケーシングによって定められる。空気入口１２は、概ね円形であり、温風整髪装置の概ね環状の出口端部との気密接続を可能にする。温風整髪装置の外面から付属品１０の外側ケーシング区分４４にかけては、環状のカラー区分１４が滑らかな縁部を形成する。
【００４２】
付属品は、温風整髪装置の使用中に毛髪に係合する少なくとも１つの毛髪係合部材を含む。この例では、付属品が２つの毛髪係合部材を含む。各毛髪係合部材は、可動部材と、可動部材によって支持された毛状突起（剛毛、剛毛突起、直立突起）の組とを含む。この例では、第１の可動部材１６及び第２の可動部材１８が、いずれも細長い形状であって横並びに配置される。これらの可動部材は、中央固定棚部２２の両側に長手方向に位置付けられる。中央固定棚部２２は、内側ケーシング区分４５の一部を形成し、その周囲に外側ケーシング区分４４が延びる。各可動部材の第１の端部は、付属品１０の空気入口端部側に位置付けられ、各可動部材の第２の端部は、付属品１０の遠位端側に位置付けられる。第１の可動部材１６及び第２の可動部材１８は、外側ケーシング区分４４と内側ケーシング区分４５との間に位置付けられ、付属品の遠位端において、ケーシングに対して動くように固定プレート６２を介して支持される。付属品の遠位端には、ケーシングに対して可動部材を動かす移動機構を収容するキャップ２４と、これに取り付けられた低温先端部２６とが存在する。
【００４３】
各可動部材は、湾曲した外面を有する。この外面上には、可動部材の長さに対して垂直に延びる複数の平行なリブ３０が位置付けられる。２つの隣接するリブ３０は、これらの間にチャネル３２を形成する。各可動部材上のリブ３０の総領域は、滑らかな周囲面によって取り囲まれた長方形の形状を有する。各リブ３０は、毛状突起２０のそれぞれの列を支持する。
【００４４】
この実施形態では、各チャネル３２の幅が、リブ３０の高さと等しいかそれより小さいことが好ましい。別の実施形態では、各チャネル３２の幅がリブ３０の幅よりも広い。さらに別の実施形態では、チャネル３２が、流体力学的解析によって決定される多面的幾何学形状を有することができる。
【００４５】
第１の可動部材１６及び第２の可動部材１８は、いずれも、中央固定棚部２２に隣接する内側面３４と、外側ケーシング区分４４の側壁４２に隣接する外側面４０とを有する。各可動部材の内側面３４は、一連の一定間隔の窪み３６を含む。各可動部材の外側面４０は、一連の一定間隔の窪み３８を含む。図１を参照すると、これらの一定間隔の窪みは、組み立て時に外から見える付属品１０の形態ではない。内側面３４に沿った一定間隔の窪み３６は、約１ｍｍ〜約２ｍｍの幅と、約１０ｍｍ〜約１５ｍｍの間隔とを有することが好ましい。外側面４０に沿った一定間隔の窪み３８は、約２ｍｍ〜３ｍｍの幅と、約２ｍｍ〜３ｍｍの間隔とを有することが好ましい。
【００４６】
中央固定棚部２２の下面には、一連のバッフル４６が接続される。図５に示すように、各バッフル４６の側面形状は全体的に湾曲し、一連のバッフル４６の曲率は、付属品１０の空気入口端部から付属品１０の遠位端にかけて徐々に減少する。各バッフル４６の後側５０は、それぞれの支持体５２に取り付けられ、この支持体５２も、内側ケーシング区分４５の基部５３に取り付けられる。バッフル４６は、中央固定棚部２２、又は各バッフル４６の両側の一対の平行な支持体のみに接触させ、付属品１０の長手方向軸と整列させて位置付けることなどの、別の構成で支持されることも想定される。好ましい実施形態では、空気入口１２の最も近くに位置するバッフル４６が、６ｍｍの最小半径を有する。
【００４７】
図２を参照すると、外部側壁４２間には、外側ケーシング区分４４の湾曲した基部５４が延びる。外側ケーシング区分４４の各側壁４２の内側には、一連の側部ベーン５６が配置される。具体的には、各側部ベーン５６は、可動部材の一方の外側面４０の突出部５７と軸方向に整列して位置付けられ、従って可動部材が外側ケーシング区分４４に対して動いた時に、気密封鎖を引き起こし、連続する側部ベーン５６と突出部５７とが接触する。可動部材がこの位置にある時には、隣接する側部ベーン５６間のチャネルが、可動部材の外側面４０のそれぞれの窪み３８と軸方向に整列し、従って一連のチャネルを形成する。
【００４８】
図２をさらに参照すると、付属品１０の遠位端に位置する構成部品は、主に第１の可動部材１６及び第２の可動部材１８をケーシングに対して動かす枢動機構を可能にするように機能する。具体的には、各可動部材の第２の端部の端面の中心に位置する穴６０に枢動ピン５８が受け入れられる。これらの枢動ピン５８は、固定プレート６２を貫通して、エンドキャップ２４の第１の側の穴に受け入れられる。図２には、第１の可動部材１６が傾く（傾転する）中心軸を点線Ｘによって示している。第２の可動部材１８が傾く（傾転する）中心軸は破線Ｙによって示している。各可動部材は、５°〜３０°の範囲の移動角を有する。好ましい実施形態では、この移動角が１２°である。
【００４９】
各可動部材の第２の端部の端面の外側からは、連結アームピン６４が突出する。各連結アームピン６４は、固定プレート６２の楕円穴６６を貫通して連結アーム６８のそれぞれの端部に受け入れられる。連結アーム６８は、第１の可動部材１６及び第２の可動部材１８が外側ケーシング区分４４に対して同期的に動くことを確実にするように機能する。
【００５０】
各可動部材の第２の端部の端面の内側からは、ばねピン７０が突出する。各ばねピン７０は、固定プレート６２の拡大穴７２及びねじりばね７６の脚７４を貫通し、最終的にエンドキャップ２４の第１の側のそれぞれの穴に受け入れられる。ねじりばね７６は、安定した第１の位置と安定した第２の位置との間のオーバセンタ機構として機能し、第１の可動部材１６及び第２の可動部材１８が、安定した第１の位置と安定した第２の位置との間でスムーズに傾くことができることを確実にする。
【００５１】
キャップ２４の第２の側は、付属品内の空気流の熱から比較的隔離された中心延長機構である低温先端部２６を含む。
【００５２】
図３は、Ｂ−Ｂ及びＣ−Ｃで表記する横断面の位置を示す付属品１０の側面外観図である。図３には、各可動部材の第１の端部に隣接して位置する第１の隆起部７８と、各可動部材の第２の端部に隣接して位置する第２の隆起部８０とを示す。第１の隆起部７８は、外側ケーシング区分４４の一部である。第２の隆起部８０は、キャップ２４の一部である。第１の隆起部７８及び第２の隆起部８０の高さは、約１ｍｍ〜約４ｍｍであることが好ましい。
【００５３】
図４は、空気入口端部１２から示す付属品１０の正面図である。接続リング８２は、付属品１０を温風整髪装置に嵌合させるスナップフィット機構を形成する４つの規則的間隔の突出部８４を有する。一連の各バッフル４６を、構造線Ｄ−Ｄが通過する。
【００５４】
図５ａは、図４の線Ｄ−Ｄに沿って切り取った断面図である。低温先端部２６内には、低温先端部２６を強固にするとともに対流を最小化して低温先端部２６の外面への熱伝導を最小化するように機能する複数の細長い空洞８６が存在する。付属品１０の内部断面積は、付属品の空気入口端部から遠位端に向かって徐々に減少する。具体的には、内側ケーシング区分４５の基部５３が、外側ケーシング区分４４の基部５４から可動部材に向かって傾斜して離れることにより、基部５３と、基部５４と、内側ケーシング区分４５のエンドプレート９２とによって定められる空洞９０を形成する。
【００５５】
図５ｂには、空気流入口１２と、垂直矢印によって示す複数の空気流出口とを概略的に示す。台形５５は、図４の線Ｄ−Ｄに沿って切り取った付属品の内部容積の断面積を表す。上流端における付属品の内部の横断面積は、台形５５の右手縁部５９によって表す。遠位端における付属品の内部の横断面積は、台形５５の左手縁部６１によって表す。付属品の内部容積の断面積は、遠位端における最小断面積６１と上流端における最大断面積５９との間で徐々にテーパ状になる。
【００５６】
１つの実施形態では、基部５３が、エンドプレート９２の中心の最大高さから側壁４２に向かって下向きに傾斜してエンドプレート９２から離れる滑らかな湾曲形状を有する。別の実施形態では、付属品１０の内部断面積の漸進的なテーパリングを基部５３の別の構成で実現することもできる。
【００５７】
以下、図６ａ〜図６ｄを参照しながら可動部材の「シーソー運動」について説明する。図６ａ及び図６ｂは、可動部材がケーシングに対して第１の構成にある時に図３の線Ｂ−Ｂ及び線Ｃ−Ｃに沿って切り取った断面図である。図６ｃ及び図６ｄは、図６ａ及び図６ｂと同様の断面図であるが、可動部材がケーシングに対して第２の構成にある時のものである。使用時には、ユーザが毛髪内を通して付属品を引く行為によって毛状突起２０に逆方向の張力が生じる。この結果、毛状突起の張力が各可動部材に存在するようになり、各可動部材は張力の方向に従って動き、付属品１０の使用中に第１の構成又は第２の構成のいずれかを取るようになる。
【００５８】
図６ａ及び図６ｂには、使用時に矢印８８によって示すように付属品１０を左から右の方向にユーザの毛髪内を通して動かした時の第１の構成にある各可動部材の位置を示す。図６ａの左側に示す第１の可動部材１６は、ケーシングに対し、上面の外側区分が外側ケーシング区分４４の側壁４２と面一で気密接触する第１の位置にある。第１の可動部材１６の内側面３４は、中央固定棚部２２の下方に位置して垂直に重なっている。中央固定棚部２２と第１の可動部材１６の内側面３４との間には、第１の内側空気出口９４が形成される。
【００５９】
図６ａの右側に示す第２の可動部材１８は、ケーシングに対し、内側面３５が中央固定棚部２２と面一で気密接触する第２の位置にある。第２の可動部材１８は、外側ケーシング区分４４の側壁４２の下方に位置する上面の外側区分を有する。第２の可動部材１８と外側ケーシング区分４４の側壁４２との間には、第２の外側空気出口９５が形成される。
【００６０】
当業者には、図６ｂにも図６ａと同じ位置の可動部材を示していることが明らかであろう。断面Ｃ−Ｃ（図３）は、バッフル４６の支持体５２、及びバッフル４６の狭いネック部９３を横断する。第１の可動部材１６の内側面３４は、バッフル４６の狭いネック部９３に接触している。規則的間隔のバッフル４６と、各可動部材の長手方向内側面３４上に存在する規則的間隔の窪み３６とが接触することにより、内側空気出口９４が一連の中央空気出口開口部に分割される。同様に、規則的間隔の側部ベーン５６と、各可動部材の外側面４０上に存在する規則的間隔の突出部５７とが接触することにより、外側空気出口９５が一連の外側空気出口開口部に分割される。
【００６１】
ユーザによるブラッシング行為の方向が逆になり、同様に毛状突起２０における張力の方向も逆になると、可動部材は、同期してその逆の位置に動く。従って、第１の可動部材１６及び第２の可動部材１８は、図６ｃ及び図６ｄに示すようにケーシングに対して第２の構成になる。具体的には、使用時に付属品１０が矢印８９によって示すように右から左の方向に動く。図６ｃの左側に示す第１の可動部材１６は、内側面３４が中央固定棚部２２に接触し、外側面４０が外側ケーシング区分４４の外側壁４２の下方に位置する第２の位置にある。第１の可動部材１６と外側ケーシング区分４４の側壁４２との間には、第３の外側空気出口９７が形成される。
【００６２】
図６ｃの右側に示す第２の可動部材１８は、外側面４０が外側ケーシング区分４４の外側壁４２に接触する第２の位置にある。第２の可動部材１８の上面の内側区分は、中央固定棚部２２の下方に位置して垂直方向に重なる。第２の可動部材１８と中央固定棚部２２との間には、第４の内側空気出口９６が形成される。
【００６３】
当業者には、図６ｄにも第２の構成の、従って図６ｃと同じ位置の可動部材を示していることが明らかであろう。断面Ｃ−Ｃ（図３）は、バッフル４６の支持体５２、及びバッフル４６の狭いネック部９３を横断する。
【００６４】
このような２つの逆の位置間の同期運動は、いわゆる「シーソー」の動きである。この「シーソー」運動は、枢動ピン５８及び連結アームピン６４をそれぞれ位置付ける固定プレート６２の楕円穴７２及び穴６６によって可能になるとともに、これらの穴によって制限される。可動部材が２つの異なる安定した構成の一方を取った場合、付属品１０は、単一の開いた内側空気出口と、単一の開いた外側空気出口とを有する。例えば、可動部材が第１の構成にある時には、空気流出口９４、９５が開いて空気流出口９６、９７が閉じる。可動部材が第２の構成にある時には、空気流出口９４、９５が閉じて空気流出口９６、９７が開く。
【００６５】
付属品１０は、使用時に温風整髪装置の空気流出口端部に接続される。空気流は、温風整髪装置から空気入口１２を通過して付属品１０に入り込む。一連のバッフル４６の各バッフルの前側４８は、流入した空気流の方向を変化させるように機能する。具体的には、空気入口１２から流入した空気流は、主に付属品１０の長手方向軸と平行である。バッフル４６は、この経路を中央固定棚部２２の方向に、開いた内側空気出口９４に向かって約９０度変化させる。各バッフル４６の前側４８及び後側５０は、いずれも空気流方向を変化させるのに役立つ。一連のバッフル４６は、各可動部材の内側面３４上の一定間隔の窪み３６と協働して、付属品１０から排出される第１の一連の空気ジェットを形成する。
【００６６】
また、側部ベーン５６は、空気流を開いた外側空気出口９５の方に向け、各可動部材の外側面４０の一定間隔の窪み３８と協働して、付属品１０から排出される第２の一連の空気ジェットを形成するように機能する。
【００６７】
開いた内側空気出口及び開いた外側空気出口の一方を通じて付属品１０から排出される空気流は、可動部材の形状に起因して、これらの可動部材のうちの隣接する可動部材の外面上を流れるように誘導される。側部ベーン５６及びバッフル４６の形状は、排出される空気流ジェットが可動部材の表面上を真っ直ぐ平行に均一に流れるようにすることにより、可動部材の表面に毛髪を引き寄せる。例示的な実施形態では、各空気流出口から排出される空気流速度が約３０ｍ／ｓである。
【００６８】
空気流出口の寸法及び各可動部材の形状により、この表面の空気流に周囲空気流が巻き込まれる。従って、チャネル３２を通ってユーザの髪の長さに沿う空気流は、周囲空気流によって増大する。さらに、チャネル３２の形状及び寸法は、空気流が可動部材の表面上を移動する際に流れの付着性を高める。
【００６９】
図６ａ及び図６ｂを参照して分かるように、図の上部に矢印８８によって示すように、使用時に付属品１０を左から右の方向に動かすと、各可動部材の表面上の空気流は、小さな空気流矢印によって示すように逆方向になる。図６ｃ及び図６ｄを参照して分かるように、付属品１０の使用方向を逆にすると、各可動部材の表面を横切る空気流の方向も逆になる。
【００７０】
付属品１０の内部容積の断面積は、付属品１０の下流端に向かって徐々に減少する。この断面積の減少の機能は、空気出口の全長に沿って付属品から排出される空気流の一定圧力を確実にして乱流を防ぐことである。断面積の減少は、付属品内の空気流の減少する質量流量に比例する。空気流が内側空気出口及び外側空気出口を通じて付属品の上流端から付属品の下流端に付属品１０から排出されるにつれ、質量流量は減少する。この結果、断面積を減少させることにより、空気出口の全長に沿って付属品から排出される空気流速度が一定になる。内部断面積が徐々に減少する結果、ベーン及びバッフルに対する空気流の付着性が向上することも観察される。
【００７１】
第１の隆起部７８及び第２の隆起部８０は、チャネル３２を通して移動する均一で平行な空気流への望ましくない周囲空気の同伴を避けるように機能する。
【００７２】
図７ａ〜図７ｄに、付属品の毛状突起の好ましい形状を示す。図７ａには、各毛状突起９９が細長いベースプレート９８に取り付けられた毛状突起の列を示す。図７ｂには、毛状突起９９の垂直断面Ａ−Ａを示す。毛状突起９９の基端部１００は、毛状突起の先端部１０２よりも広く、側面は実質的に真っ直ぐであり、毛状突起９９の先端部１０２は概ね球形である。図７ｃに示すように、各毛状突起の先端部１０２の断面は円形である。図７ｄには、各毛状突起９９の基端部１００の断面が楕円形であることを示す。組み立てると、各毛状突起２０の楕円形状の長軸寸法が各可動部材上の各リブ３０の長い方の寸法（長軸寸法）と整列する。別の実施形態では、各毛状突起９９が、毛状突起全体にわたって楕円形の断面を有し、断面のサイズが毛状突起９９の先端部１０２に向かって徐々に減少する。
【００７３】
さらに、各毛状突起９９の形状は、空気流が毛状突起２０間において各可動部材の表面上を移動する際に流れの付着を最適にするように形成することができる。好ましい実施形態では、毛状突起２０が屈曲する（可撓性を有する）ことができ、長さを約１５ｍｍとすることができる。毛状突起２０は、概ね球状の端部形状を有することも、又は有さないこともできる。
【００７４】
当業者には、本発明による温風整髪装置の付属品の毛状突起は、単独で組み立てることも、或いは（図７ａに示すような）２又は３以上の接続された毛状突起の列を予め形成して組み立てることもできることが明らかであろう。各毛状突起９９は、リブ３０内に配置され、選択的にリブ３０は、各毛状突起９９を１又は２以上の方向に動かすことができる。例えば、各毛状突起９９が、毛状突起の長手方向軸に沿ってわずかにクッション性を持って動くようにすれば、頭皮に対する毛状突起の抗力が減少するので、ユーザが体験する快適性を高めることができる。
【００７５】
図１を参照すると、各可動部材の上面は円弧形を有し、従ってリブ３０も同じ円弧形を描く。従って、単一のリブ３０内に保持される毛状突起２０の垂直方向の並びは平行でない。
【００７６】
図８に、付属品１０を接続できる温風整髪装置１０４の例を示す。この温風整髪装置は、両端に空気入口１０８及び空気出口１１０を有する概ね管状のハンドル１０６を含む。ハンドルの空気入口端部では、ハンドル１０６に部分的に沿ってその周囲に広がる開口部の列が空気入口１０８を形成する。ハンドル１０６内のファンユニットは、ファン及びモータを含む。使用時には、モータがファンを駆動し、流体入口を通じてハンドルの長さ全体に延びる流体流路に沿って空気が吸い込まれる。空気は、選択的にヒータによって加熱された後で流体出口１１０において温風整髪装置から排出される。
【００７７】
さらなる実施形態では、基部５３、５４間に、断熱低温壁空洞として機能するチャネルを設けることができる。さらなる好ましい実施形態では、付属品の内部断面積を減少させる空洞９０は、基部５３、５４間の低温壁空洞に連続していてもよい。このような低温壁空洞は、ユーザに接触することもある外側ケーシング区分４４の基部５４の温度を低下させるように機能する。
【００７８】
さらなる構造的代替案では、低温壁が、外側ケーシング区分４４の基部及び壁部から最低数の連結リブによって所定の距離に維持された、付属品１０の外側ケーシング区分４４の基部及び壁部を覆う別個の材料層を含むことができる。この低温壁は、閉じた空洞を形成するのではなく、低温壁と外側ケーシング区分４４との間にチャネルを形成することにより、使用時にベンチュリ効果によって低温壁チャネル内に空気流を促すことができる。
【００７９】
当業者には、ねじりばね７６の付勢機能をいくつかの別の方法でも実現できることが明らかであろう。例えば、磁気ラッチ、又は重り付き可動部材、或いは戻り止め機構に統合した玉軸受を使用することができる。
【００８０】
付属品は、あらゆる好適な耐熱性材料で製造することができ、好ましい実施形態では、ケーシング及び可動部材が、ガラス充填ナイロンで製造される。温風整髪装置に接続されたこのような付属品の最も好ましい動作温度は、約１３０℃である。
【００８１】
本発明による付属品の例では、２つの平行な可動部材について説明した。これとは別に、外側ケーシング区分４４内で単一の可動部材、或いは３又は４以上の可動部材を使用することもできる。単一の可動部材を含む実施形態では、必然的に中央バッフル及び中央固定棚部が省かれるようになる。複数の可動部材を含む別の実施形態は、可動部材間に空気流ジェットを生じるように配置された複数列の中央バッフルを含む。さらに、付属品の別の実施形態では、可動部材をヒンジ運動又は摺動運動で動くように適合させることもできる。
【００８２】
本発明による付属品１０の例では、添付図面に示すように、各可動部材上に３列の毛状突起２０が存在する。しかしながら、当業者には、各可動部材上の毛状突起の列数を３よりも多く又は少なくできることが明らかである。具体的には、毛状突起のない付属品には、毛髪内を通る毛状突起の不快な影響を伴わない空気流路の毛髪平滑作用からユーザが恩恵を受けることができるような利点がある。或いは、毛状突起２０を各可動部材上に配置する代わりに、又はこれに加えて、毛状突起２０を外側ケーシング区分４４上に配置することもできる。さらに、複数の可動部材を有する実施形態では、各可動部材上に毛状突起を配置しなくてもよい。
【００８３】
本発明は、上述した詳細な説明に限定されるものではない。当業者には変形例が明らかであろう。
【図１】
0006557695.tif 000002
【図２】
0006557695.tif 000003
【図３】
0006557695.tif 000004
【図４】
0006557695.tif 000005
【図５ａ】
0006557695.tif 000006
【図５ｂ】
0006557695.tif 000007
【図６】
0006557695.tif 000008
【図７ａ】
0006557695.tif 000009
【図７ｂ】
0006557695.tif 000010
【図７ｃ】
0006557695.tif 000011
【図７ｄ】
0006557695.tif 000012
【図８】
0006557695.tif 000013